(57)【要約】      （修正有）【課題】高輝度部分境界における映像信号の焼き付きを容易に抑制する映像表示装置及び映像表示方法の提供を目的とする。【解決手段】入力された映像信号をデジタル変換し、所定のビデオ信号処理を施しプラズマディスプレイパネル２９に表示する映像信号を生成する映像信号処理部２３と、映像信号を格納するフレームメモリ２６と、各画素を駆動する駆動ドライバ２７を介してプラズマディスプレイパネル２９に表示するモジュール２９ｃとから成る映像表示装置２０において、前記映像信号処理部２３は、前記フレームメモリ２６内に格納された映像信号が画面のアスペクト比と異なる場合に映像をトリミングすることなく表示させる際、ブランク領域Ｅ１，Ｅ３との境界に位置する映像信号について、オーバーシュート３０ａ，３０ｂ及びアンダーシュート３０ｃ，３０ｄレベルを低下させることで輝度差を縮小させ、ブランク領域境界における焼き付きを抑制せしめる。【選択図】図３
2006171425.tif 000002
【特許請求の範囲】
【請求項１】
入力された映像信号をデジタル変換し、所定のビデオ信号処理を施しプラズマディスプレイパネルに表示する映像信号を生成する映像信号処理部と、
前記映像信号処理部にて生成された映像信号を格納するフレームメモリと、
前記フレームメモリで格納された映像信号を入力し、各画素を駆動する駆動ドライバを介してプラズマディスプレイパネルに表示するプラズマディスプレイパネルモジュールとから成る映像表示装置において、
前記映像信号処理部は、前記フレームメモリ内に格納された映像信号がプラズマディスプレイパネルの画面のアスペクト比と異なる場合に映像をトリミングすることなく表示させる際、該プラズマディスプレイパネルの画面の上下両端、或いは左右両端に生ずる映像のないブランク領域との境界に位置する映像信号について、バイリニア補間に伴うエッジ部分のぼやけ対策で施されたシャープネス処理に伴うオーバーシュート及びアンダーシュートレベルを低下させることで輝度差を縮小させ、プラズマディスプレイパネルの前記ブランク領域境界における焼き付きを抑制せしめることを特徴とする、映像表示装置。
【請求項２】
入力された映像信号をデジタル変換し、所定のビデオ信号処理を施して格納するフレームメモリを介して映像を表示する映像表示装置において、
画面の高輝度部分境界に位置する映像信号について、バイリニア補間に伴うエッジ部分のぼやけ対策で施されたシャープネス処理に伴うオーバーシュート及びアンダーシュートレベルを低下させることで輝度差を縮小させ、画面の前記高輝度部分境界における焼き付きを抑制せしめることを特徴とする、映像表示装置。
【請求項３】
前記映像表示装置は、  
画面の各画素位置における輝度レベルを検出する輝度レベル検出手段と、
当該輝度レベル検出手段により検出した一定時間毎の輝度レベルを記憶する輝度レベル記憶手段と、
前記輝度レベル記憶手段に記憶された一定時間経過前後の輝度レベルを比較する輝度レベル比較手段とを有し、
所定のビデオ信号処理を施し画面に表示する映像信号を生成する映像信号処理部は、前記輝度レベル比較手段により、一定時間経過前後の画面の各画素位置における輝度レベルの差が予め設定された一定変化以下である場合で、且つ、一定時間後の輝度レベルが予め設定された一定値以上である場合には前記高輝度部分とみなし、当該高輝度部分境界に位置する映像信号について、バイリニア補間に伴うエッジ部分のぼやけ対策で施されたシャープネス処理に伴うオーバーシュート及びアンダーシュートレベルを低下させることで輝度差を縮小させ、画面の前記高輝度部分境界における焼き付きを抑制せしめることを特徴とする、請求項２に記載の映像表示装置。
【請求項４】
前記映像表示装置は、所定のビデオ信号処理を施し画面に表示する映像信号を生成する映像信号処理部を有し、
前記映像信号処理部は、前記フレームメモリ内に格納された映像信号が画面のアスペクト比と異なる場合に映像をトリミングすることなく表示させる際、画面の上下両端、或いは左右両端に生ずる映像のないブランク領域が生ずる場合には、当該ブランク領域との境界に位置する映像信号を前記高輝度部分境界とみなし、当該ブランク領域との境界に位置する映像信号について、バイリニア補間に伴うエッジ部分のぼやけ対策で施されたシャープネス処理に伴うオーバーシュート及びアンダーシュートレベルを低下させることで輝度差を縮小させ、画面の当該境界における焼き付きを抑制せしめることを特徴とする、請求項２に記載の映像表示装置。
【請求項５】
前記映像表示装置は、画素数が固定されたプラズマディスプレイ或いは液晶ディスプレイであることを特徴とする、請求項２〜請求項４に記載の映像表示装置。
【請求項６】
入力された映像信号をデジタル変換し、映像信号処理部で所定のビデオ信号処理を施した上フレームメモリ内に格納した映像信号を入力し、各画素を駆動する駆動ドライバを介してプラズマディスプレイパネルに表示する映像表示方法において、
映像信号処理部で、フレームメモリ内に格納された映像信号がプラズマディスプレイパネルの画面のアスペクト比と異なる場合に映像の端部をトリミング、或いは拡縮することなく表示させる際、該プラズマディスプレイパネルの画面の上下両端、或いは左右両端に生ずる映像のないブランク領域との境界に位置する映像信号について、バイリニア補間に伴うエッジ部分のぼやけ対策で施されたシャープネス処理に伴うオーバーシュート及びアンダーシュートレベルを低下させることで輝度差を縮小させ、プラズマディスプレイパネルの前記ブランク領域境界における焼き付きを抑制せしめることを特徴とする、映像表示方法。
【発明の詳細な説明】
【技術分野】
【０００１】
本発明は、高輝度部分境界における焼き付けを抑制する映像表示装置及び映像表示方法に関する。
【背景技術】
【０００２】
近年になって、半導体処理技術の向上により、映像信号のデジタル信号処理が容易に行われるようになってきた。また、最近では画像表示装置も従来のブラウン管に代わり、ＬＣＤ（Liquid Crystal Display：液晶ディスプレイ）表示装置やプラズマディスプレイ装置等に代表される固定画素の映像表示装置が、その薄さから日本の狭い住宅事情に合致し、広く普及しつつある。
【０００３】
こうした映像表示装置に表示する映像信号方式は、いわゆるＮＴＳＣ(National Television System Committee)信号などの標準ＴＶ放送方式のみならず、次世代の高解像度方式であるＨＤＴＶ(High Definition Television)放送方式など様々なフォーマットの信号を表示できることが求められている。
【０００４】
これら様々なフォーマットでは、それぞれ扱う画素数が異なっている。このようなそれぞれ画素数が異なる各種のフォーマットの映像信号を表示する場合、従来のブラウン管等のアナログ表示デバイスであれば、１走査線時間当たりの画素数に応じて電子ビームの偏向速度を変えてやれば容易に対応できる。
【０００５】
しかし、前記したような固定画素の映像表示装置においては、扱える画素数が固定しているため、ブラウン管の場合のような従来のアナログ技術は使えない。そのため、これら様々なフォーマットの信号を上述のような固定画素の映像表示装置に対して表示させるためには、デジタル信号処理による任意の画素数変換が不可欠である。
【０００６】
こうした画素数変換を行うためには、入力された画素データから補間により補間画素を生成することが一般に行われている。この補間方法には、大きく分けて以下の３つの方法がよく知られている。
【０００７】
１．ニアレストネイバー（nearest neighbor）補間法
この方法は入力画素の画素データから画素数変換後の画素の位置に最も近い位置にあるデータを拾い出すやり方であり、ハードウェア構成は極めて簡単なロジック演算で実現できる。しかし、変換後の画質はかなり悪化する。縮小時は細い線が消えてしまったり、小さい図形がゆがみ、拡大時には周辺部にギザギザが発生したりする。
【０００８】
２．バイリニア（bilinear）補間法
この方法は、入力画素の画素データから画素数変換後の画素の位置に最も近い位置にある２点のデータを拾い出し、その２点のデータから線形補間するというもので、上記ニアリストネイバー補間法よりは画質の劣化が少ない。しかし、２：１以下に縮小するといわゆるピクセルドロップアウトという現象が発生し、画質は一気に悪化する。また、この手法は、緩やかなローパスフィルタを施していることになるため、エッジ部分は特にそうであるが、全体的にぼけた画質になる。また、演算量はニアレストネイバー補間法に比較すれば大きくなる。
【０００９】
３．キュービックコンボリューション（cubic convolution）補間法
この方法は、入力画素の値として、さらに遠い画素の値をも用いて、線形フィルタ処理を施した値を使用する方法である。この方法の演算量は更に大きくなる。
【００１０】
こうした３つの補間方法は、変倍後の画像の品質が、一般に良い順でキュービックコンボリューション補間法，バイリニア補間法，ニアレストネイバー補間法である一方、演算量は少ない順でニアレストネイバー補間法，バイリニア補間法，キュービックコンボリューション補間法であり、両者の兼ね合いから通常、バイリニア補間法が採用される場合が多い。
【００１１】
しかしながらバイリニア補間法は、上述したように、画像がぼける傾向がある。そこで、このようなぼけを改善する方法として、例えば、シャープネスと呼ばれる、波形の二次微分波形を求め、この波形を元の波形に適量加算するといった方法によるエッジ強調が行われる場合が多い。このようなシャーネス処理を行うことにより、ぼけはある程度、改善されるが、その一方でプリシュートやオーパーシュートが発生するといった難点があった。
【００１２】
一方、次世代のＴＶ放送として期待されているハイビジョン（ＨＤＴＶ）放送は、放送衛星（ＢＳ）からの実験放送が試験放送に格上げされて、放送時間も延長されている。このハイビジョンは、水平垂直ともに現行ＮＴＳＣ方式テレビジョンの約２倍の解像度をもち、画面のアスペクト比（横と縦との比）は１６：９の横長なワイドアスペクトであり、現行のＮＴＳＣ方式のアスペクト比４：３より横長となっている。
【００１３】
従って、例えば従来のＮＴＳＣ方式のアスペクト比の映像をワイドアスペクト比の映像表示装置に表示させる場合には、映像の上下両端をトリミングするか、左右両端を拡大するか、或いは左右両端に映像のない黒い帯状のブランク領域を設ける必要があった。しかし、前者の２方法は、特に映画を観る場合などに本来の映像品質が損なわれ、視聴者に違和感を与える恐れがあるため、ブランク領域を設ける方法が主流となっている。
【００１４】
しかし、こうしたブランク領域を設ける場合には、当該ブランク領域が黒の帯状であるので映像部分との間の輝度差が大きい傾向にある。その上、前記したバイリニア補間法により映像が補間処理されている場合には、映像のぼけを改善するため、シャープネス処理を施されている場合が多く、その場合、図３に示す水平軸対輝度分布におけるような、映像信号にオーバーシュート３０ａ，３０ｂ、アンダーシュート３０ｃ，３０ｄが発生し易い。このオーバーシュート３０ａ，３０ｂ、アンダーシュート３０ｃ，３０ｄにより、前出のブランク領域との境界に位置する映像部分は、より一層、輝度差が大きくなる。このため、ＬＣＤ装置やプラズマディスプレイ装置等に代表される固定画素の映像表示装置においては、このブランク領域との境界に位置する映像部分の画面に焼き付きが生じ易かった。特に、プラズマディスプレイ装置にこの傾向が観られる。
【００１５】
従来、映像表示装置に生じる焼き付きを防止するため、例えば以下のような技術が知られている。
【００１６】
即ち、特開平０８−２４８９３４号公報（特許文献１）では、所要時間経過にて表示画面を所要画素分移動し、点灯／非点灯の境目をぼかし、映像表示装置の焼付きが目立たないようにしている。
【００１７】
特開平１０−２２２１２５号公報（特許文献２）では、ワイドアスペクト比のＰＤＰ表示部に４：３アスペクト比映像を表示する場合に、表示画面の表示部にはテレビ映像信号を表示し、表示部の両側の外枠部（ブランク領域）は表示部の平均の明るさで発光させるようにしている。
【００１８】
特開２００３−１７４６０１号公報（特許文献３）では、アスペクト比の異なる映像を表示した場合に、表示部の映像表示位置を移動する。これにより、映像表示部分とマスク部分の境界での焼付きの傾斜が緩やかになるようにしている。
【特許文献１】特開平０８−２４８９３４号公報
【特許文献２】特開平１０−２２２１２５号公報
【特許文献３】特開２００３−１７４６０１号公報
【発明の開示】
【発明が解決しようとする課題】
【００１９】
上述した特許文献１や特許文献３のような映像位置を移動させる方法は、視聴者に違和感を与える恐れがあり、特許文献２のようなブランク領域の明るさを上げる方法は、ブランク領域と映像領域とが視別し辛くなり、見づらい。
【００２０】
又、焼き付きの問題は、ブランク領域との境界に限った問題ではなく、それ以外の映像部分においても、同位置で長時間にわたって輝度が高い状態が続くような場合には生じる問題であるが、こうした映像部分では、前述の各特許文献１〜３のような方法では、映像品質の点から採用することは困難である。
【００２１】
本発明は、上記課題にかんがみてなされたもので、視聴者に違和感を与えたり、映像品質の低下を招いたりすることなく、異なるアスペクト比の映像を表示した場合に生ずるブランク領域との境界に位置する部分をはじめとする、高輝度部分境界における映像信号の焼き付きを容易に抑制する映像表示装置及び映像表示方法の提供を目的とする。
【課題を解決するための手段】
【００２２】
上記問題を解決する為に請求項１に記載の発明は、入力された映像信号をデジタル変換し、所定のビデオ信号処理を施しプラズマディスプレイパネルに表示する映像信号を生成する映像信号処理部と、前記映像信号処理部にて生成された映像信号を格納するフレームメモリと、前記フレームメモリで格納された映像信号を入力し、各画素を駆動する駆動ドライバを介してプラズマディスプレイパネルに表示するプラズマディスプレイパネルモジュールとから成る映像表示装置において、前記映像信号処理部は、前記フレームメモリ内に格納された映像信号がプラズマディスプレイパネルの画面のアスペクト比と異なる場合に映像をトリミングすることなく表示させる際、該プラズマディスプレイパネルの画面の上下両端、或いは左右両端に生ずる映像のないブランク領域との境界に位置する映像信号について、バイリニア補間に伴うエッジ部分のぼやけ対策で施されたシャープネス処理に伴うオーバーシュート及びアンダーシュートレベルを低下させることで輝度差を縮小させ、プラズマディスプレイパネルの前記ブランク領域境界における焼き付きを抑制せしめる構成としている。
【００２３】
上記のように構成した請求項１に記載の発明によれば、プラズマディスプレイパネルのブランク領域境界における映像信号のオーバーシュート及びアンダーシュートレベルが低下し輝度差が縮小することで、焼き付きが抑制される。
【００２４】
請求項２に記載の発明は、入力された映像信号をデジタル変換し、所定のビデオ信号処理を施して格納するフレームメモリを介して映像を表示する映像表示装置において、
【００２５】
画面の高輝度部分境界に位置する映像信号について、バイリニア補間に伴うエッジ部分のぼやけ対策で施されたシャープネス処理に伴うオーバーシュート及びアンダーシュートレベルを低下させることで輝度差を縮小させ、画面の前記高輝度部分境界における焼き付きを抑制せしめる構成としている。
【００２６】
上記のように構成した請求項２に記載の発明によれば、映像表示装置の高輝度部分境界の映像信号のオーバーシュート及びアンダーシュートレベルが低下し輝度差が縮小することで、焼き付きが抑制される。
【００２７】
請求項３に記載の発明は、前記映像表示装置は、画面の各画素位置における輝度レベルを検出する輝度レベル検出手段と、当該輝度レベル検出手段により検出した一定時間毎の輝度レベルを記憶する輝度レベル記憶手段と、前記輝度レベル記憶手段に記憶された一定時間経過前後の輝度レベルを比較する輝度レベル比較手段とを有し、所定のビデオ信号処理を施し画面に表示する映像信号を生成する映像信号処理部は、前記輝度レベル比較手段により、一定時間経過前後の画面の各画素位置における輝度レベルの差が予め設定された一定変化以下である場合で、且つ、一定時間後の輝度レベルが予め設定された一定値以上である場合には前記高輝度部分とみなし、当該高輝度部分境界に位置する映像信号について、バイリニア補間に伴うエッジ部分のぼやけ対策で施されたシャープネス処理に伴うオーバーシュート及びアンダーシュートレベルを低下させることで輝度差を縮小させ、画面の前記高輝度部分境界における焼き付きを抑制せしめる構成としている。
【００２８】
上記のように構成した請求項３に記載の発明によれば、映像表示装置の一定時間、高輝度状態にある境界に位置する映像信号のオーバーシュート及びアンダーシュートレベルが低下し輝度差が縮小することで、焼き付きが抑制される。
【００２９】
請求項４に記載の発明は、前記映像表示装置は、所定のビデオ信号処理を施し画面に表示する映像信号を生成する映像信号処理部を有し、前記映像信号処理部は、前記フレームメモリ内に格納された映像信号が画面のアスペクト比と異なる場合に映像をトリミングすることなく表示させる際、画面の上下両端、或いは左右両端に生ずる映像のないブランク領域が生ずる場合には、当該ブランク領域との境界に位置する映像信号を前記高輝度部分境界とみなし、当該ブランク領域との境界に位置する映像信号について、バイリニア補間に伴うエッジ部分のぼやけ対策で施されたシャープネス処理に伴うオーバーシュート及びアンダーシュートレベルを低下させることで輝度差を縮小させ、画面の当該境界における焼き付きを抑制せしめる構成としている。
【００３０】
上記のように構成した請求項４に記載の発明によれば、映像表示装置のブランク領域の境界に位置する映像信号について、オーバーシュート及びアンダーシュートレベルが低下し輝度差が縮小することで、焼き付きが抑制される。
【００３１】
請求項５に記載の発明は、前記映像表示装置は、画素数が固定されたプラズマディスプレイ或いは液晶ディスプレイである構成としている。
【００３２】
上記のように構成した請求項５に記載の発明によれば、プラズマディスプレイ或いは液晶ディスプレイについて、請求項２〜請求項４と同様の作用が得られる。
【００３３】
又、上記した映像表示装置の構成は装置としてのみならず、方法として適用することも勿論可能であり、請求項６に記載の発明は、入力された映像信号をデジタル変換し、映像信号処理部で所定のビデオ信号処理を施した上フレームメモリ内に格納した映像信号を入力し、各画素を駆動する駆動ドライバを介してプラズマディスプレイパネルに表示する映像表示方法において、映像信号処理部で、フレームメモリ内に格納された映像信号がプラズマディスプレイパネルの画面のアスペクト比と異なる場合に映像の端部をトリミング、或いは拡縮することなく表示させる際、該プラズマディスプレイパネルの画面の上下両端、或いは左右両端に生ずる映像のないブランク領域との境界に位置する映像信号について、バイリニア補間に伴うエッジ部分のぼやけ対策で施されたシャープネス処理に伴うオーバーシュート及びアンダーシュートレベルを低下させることで輝度差を縮小させ、プラズマディスプレイパネルの前記ブランク領域境界における焼き付きを抑制せしめる映像表示方法の構成としている。
【００３４】
上記のように構成した請求項６に記載の発明によれば、請求項１と同様の作用が得られる映像表示方法が提供できる。
【発明の効果】
【００３５】
請求項１に記載の発明によれば、プラズマディスプレイパネルのブランク領域境界における映像信号のオーバーシュート及びアンダーシュートレベルが低下し輝度差が縮小することで、視聴者に違和感を与えたり、映像品質を低下させることなく、容易に焼き付きが抑制できる。
【００３６】
請求項２に記載の発明によれば、映像表示装置の高輝度部分境界の映像信号のオーバーシュート及びアンダーシュートレベルが低下し輝度差が縮小することで、視聴者に違和感を与えたり、映像品質を低下させることなく、容易に焼き付きを抑制できる。
【００３７】
請求項３に記載の発明によれば、映像表示装置の一定時間、高輝度状態にある境界に位置する映像信号のオーバーシュート及びアンダーシュートレベルが低下し輝度差が縮小することで、視聴者に違和感を与えたり、映像品質を低下させることなく、容易に焼き付きを抑制できる。
【００３８】
請求項４に記載の発明によれば、映像表示装置のブランク領域の境界に位置する映像信号について、オーバーシュート及びアンダーシュートレベルが低下し輝度差が縮小することで、視聴者に違和感を与えたり、映像品質を低下させることなく、容易に焼き付きを抑制できる。
【００３９】
請求項５に記載の発明によれば、プラズマディスプレイ或いは液晶ディスプレイについて、請求項２〜請求項４と同様の効果が得られる。
【００４０】
請求項６に記載の発明によれば、請求項１と同様の効果が得られる映像表示方法が提供できる。
【発明を実施するための最良の形態】
【００４１】
以下、本発明を具体化した各実施例について説明する。
【実施例１】
【００４２】
図１は、本発明にかかる映像表示装置について、ワイドアスペクト比のプラズマディスプレイを適用した場合の、ＴＶとしての構成を示すブロック図である。同図において、映像表示装置としてのＰＤＰ表示装置２０は、アンテナ１０からの周波数信号を入力するチューナ部２２を備えている。当該チューナ部２２は、例えばシンセサイザ方式のチューナの構成とされ、選局制御信号としてＰＬＬデータ、即ち、ＰＬＬグループにおける可変分周回路の分周比のデータが与えられる。
【００４３】
又、ＰＤＰ表示装置２０は、ビデオ入力端子２４を備えている。当該ビデオ入力端子２４には、外部装置として例えば図示しないＤＶＤ装置などが接続可能であり、このビデオ入力端子２４を介して外部からの映像信号及び音声信号が入力可能となっている。前記チューナ部２２とビデオ入力端子２４とにはスイッチ回路２５が接続されている。このスイッチ回路２５は、チューナ部２２からの映像信号、またはビデオ入力端子２４からの映像信号の何れか一方を有効とし、後述する映像信号処理部２３に供給するためのものである。即ち、本発明にかかるＰＤＰ表示装置２０は、ＴＶ放送の受像と、ＤＶＤ装置等の外部装置からの映像の表示との両方を行うことが可能なように構成されている。
【００４４】
チューナ部２２またはビデオ入力端子２４からの出力は、ＣＰＵ２８に制御された映像信号処理部２３に供給される。映像信号処理部２３は入力された当該ビデオ信号のデジタル信号への変換処理、映像信号と音声信号の分離、インターレース形式の映像信号のプログレッシブ形式の映像信号への変換等の所定の信号処理を行う。
【００４５】
フレームメモリ２６は、上記の信号処理が施された一表示画面（フレーム）毎の映像信号データを一時的に格納するためのものであり、後述する駆動ドライバ２７を介してプラズマディスプレイパネル２９に出力、表示される。
【００４６】
又、前記映像信号処理部２３は、フレームデータに基づいて映像のアスペクト比を判別し、画素数に応じてバイリニア補間処理、及び、映像のぼけを抑制するシャープネス処理をした上、適したサブフレームデータを生成し、駆動ドライバ２７に出力する。
【００４７】
この際、映像信号処理部２３が判別した映像のアスペクト比が４：３であった場合には、図２に示すように、画面の左右両端に映像のない黒い帯状のブランク領域Ｅ１，Ｅ３を形成することでワイドアスペクト比１６：９に合致するようなサブフレームデータが生成される一方、判別した映像のアスペクト比が１６：９であった場合には、ブランク領域の無いフルスクリーンとなるようなサブフレームデータが生成される。
【００４８】
更に、映像信号処理部２３は判別した映像のアスペクト比が４：３であった場合に、ブランク領域Ｅ１，Ｅ３との境界に位置する画像データＥ２ａ，Ｅ２ｂについてのシャープネス処理を、図３に示す水平軸対輝度分布におけるオーバーシュート３０ａ，３０ｂとアンダーシュートレベル３０ｃ，３０ｄが低下するように変更する。これにより、ブランク領域Ｅ１，Ｅ３との境界に位置する画像データＥ２ａ，Ｅ２ｂについて輝度差が低下し、当該位置における画面の焼き付きが抑制される。
【００４９】
プラズマディスプレイパネル２９には、図４に示すようにＸ方向電極２９ａとＹ方向電極２９ｂとがマトリックス状に設けられ、例えば、（８５２画素／１ライン）×４８０個の画素を備え、オンまたはオフというように２値的に発光を行う表示装置である。そして、所定の発光回数を輝度重みとして有する所定数（例えば、１０個）のサブフィールドの発光の合計で階調が表現されて、中間調表示を行う。
【００５０】
駆動ドライバ２７は、プラズマディスプレイパネル２９にマトリックス状に設けられた前記両電極２９ａ，２９ｂに、フレームメモリ２６に格納されたフレームデータに応じて発生させたデータパルスを印加し、所定のセルを発光制御する。
【００５１】
尚、駆動ドライバ２７とプラズマディスプレイパネル２９とで、プラズマディスプレイパネルモジュール２９ｃが構成される。
【００５２】
次に、上記のように構成されたＰＤＰ表示装置２０の実際の制御内容について、図５に示すフローチャートを基に、以下に説明する。
【００５３】
まず、ＰＤＰ表示装置２０は、アンテナ１０及びチューナ部２２を介したして受信した放送、或いはビデオ入力端子２４から入力された映像信号を映像信号処理部２３に入力する（Ｓ１０）。当該映像信号は、映像信号処理部２３でデジタル信号への変換処理、映像信号と音声信号の分離、インターレース形式の映像信号のプログレッシブ形式の映像信号への変換等の所定の信号処理が行われ（Ｓ１１）、フレームデータがフレームメモリ２６に一時格納される（Ｓ１２）。
【００５４】
映像信号処理部２３は、当該フレームデータから、入力された映像信号がアスペクト比がワイドアスペクト比である１６：９か否かを判別する（Ｓ１３）。その結果、判別した映像のアスペクト比が４：３であった場合には、画素数に応じてバイリニア補間処理、及び、映像のぼけを抑制するシャープネス処理をした上、画面の左右両端に映像のない黒い帯状のブランク領域Ｅ１，Ｅ３を形成することでワイドアスペクト比１６：９に合致するようなサブフレームデータが生成される（Ｓ１４）。一方、判別した映像のアスペクト比が１６：９であった場合には、フルスクリーンとなるようなサブフレームデータが生成される（Ｓ１６）。  
【００５５】
映像信号処理部２３は判別した映像のアスペクト比が４：３であった場合に、ブランク領域Ｅ１，Ｅ３との境界に位置する画像データＥ２ａ，Ｅ２ｂについてのシャープネス処理を、図３に示すオーバーシュート３０ａ，３０ｂとアンダーシュート３０ｃ，３０ｄレベルが低下するように変更する（Ｓ１５）。この結果、当該位置における画素の輝度差が低下するので、焼き付きを抑制することができる。このシャープネスレベルの低下処理はごく僅かで視聴者が視認できない程度ものである上、映像本体Ｅ２内ではないブランク領域Ｅ１，Ｅ３との境界における画素Ｅ２ａ，Ｅ２ｂでの処理であるので、視聴者に違和感を与えたり、映像品質の低下を招いたりすることがない。
【００５６】
生成されたサブフレームデータはフレームメモリ２６に逐次格納、読み出しされ、駆動ドライバ２７に出力される（Ｓ１７）。駆動ドライバ２７は当該サブフレームデータに基づきデータパルスを発生させ、プラズマディスプレイパネル２９のＸ方向電極２９ａとＹ方向電極２９ｂとに適宜、印加され、映像表示される（Ｓ１８）。
【００５７】
以上に説明したように、本実施例におけるＰＤＰ表示装置２０によれば、異なるアスペクト比の映像を表示する場合に生ずるブランク領域Ｅ１，Ｅ３との境界に位置する映像信号Ｅ２ａ，Ｅ２ｂについて、バイリニア補間処理による映像のぼけを抑制するシャープネス処理によって発生するオーバーシュート３０ａ，３０ｂ及びアンダーシュート３０ｃ，３０ｄのレベルを低下させるようにしたので、当該位置における画素の輝度差を低下させることができ、視聴者に違和感を与えたり、映像品質の低下を招いたりすることなく、焼き付きを容易に抑制することができる。
【００５８】
尚、本願発明は本実施例の構成に限定されるものではなく、以下に列記する構成について、適宜変更可能である。
【００５９】
１．本実施例では、ワイドアスペクト比の１６：９の画面に、４：３のアスペクト比の映像信号を表示する場合において生ずる画面の左右両端のブランク領域に関して説明したが、逆に４：３のアスペクト比の画面に１６：９の映像信号を表示する場合において生ずる画面の上下両端のブランク領域において適用しても良い。
【００６０】
２．アスペクト比自体も、１６：９と４：３とに限定はされず、他の異なるアスペクト比間において適用しても良い。例えば、ビスタサイズの１．６６：１、或いはシネマスコープサイズの場合の２．３５：１などとの間でも適用できる。
【００６１】
３．表示装置に入力する信号として、ＮＴＳＣ方式の信号として説明したが、ＰＡＬ方式或いはＳＥＣＡＭ方式など、他のいかなる方式でも同様な考え方で処理を行えば同様に動作し、同様な効果が得られる。
【００６２】
４・本実施例において抑制する焼き付きは、ブランク領域との境界に位置する映像信号についてであったが、これに限定はされず、例えば映像領域内の高輝度部分境界に位置する映像信号について、適用しても良い。
【００６３】
即ち、焼き付きはブランク領域との境界に位置する映像信号ばかりではなく、映像領域内の高輝度部分境界に位置する映像信号についても発生する可能性があり、そうした位置の映像信号についても、同様にシャープネス処理によって発生するオーバーシュート及びアンダーシュートのレベルを低下させるようにすれば、焼き付きを抑制することができる。
【００６４】
尚、前述した通り、このシャープネスレベルの低下処理はごく僅かで視聴者が視認できない程度ものであるので、処理する映像信号の位置が映像領域内であっても、視聴者に違和感を与えたり、映像品質の低下を招いたりすることはない。
【００６５】
５．更に、上記の映像領域内の高輝度部分境界に位置する映像信号について適用する場合に、当該映像信号を、一定値以上の輝度レベルが一定時間以上にわたって持続しているものにのみ、限定して処理するようにしても良い。即ち、輝度レベル自体が高くとも、その状態が維持される時間が短い場合には焼き付きが生ずる恐れは低いので、そのような映像信号を除外する。
【００６６】
こうした処理の構成例としては、例えば、画面の各画素位置における輝度レベルを検出する輝度レベル検出手段と、当該輝度レベル検出手段により検出した一定時間毎の輝度レベルを記憶する輝度レベル記憶手段と、前記輝度レベル記憶手段に記憶された一定時間経過前後の輝度レベルを比較する輝度レベル比較手段とを設け、映像信号処理部により、前記輝度レベル比較手段により、一定時間経過前後の画面の各画素位置における輝度レベルの差が予め設定された一定変化以下である場合で、且つ、一定時間後の輝度レベルが予め設定された一定値以上である場合には前記高輝度部分とみなし、当該高輝度部分境界に位置する映像信号についてのみ、バイリニア補間に伴うエッジ部分のぼやけ対策で施されたシャープネス処理に伴うオーバーシュート及びアンダーシュートレベルを低下させるようにする。
【００６７】
６．本実施例で説明したプラズマディスプレイの制御方式はあくまで一例に過ぎず、他の種々の方式についても、同様にシャープネス処理によって発生するオーバーシュート及びアンダーシュートのレベルを低下させる構成を適用可能である。
【００６８】
７．本願発明における映像表示装置は、プラズマディスプレイに適用するのが好適ではあるがそれに限定されるものではなく、ＬＣＤ，有機ＥＬ（Electro Luminescence）等の固定画素である他の映像表示装置に適用しても良い。
【００６９】
８．以上に述べた映像表示装置は装置としての構成のみならず、方法としても提供し得るのは言うまでも無い。
【産業上の利用可能性】
【００７０】
視聴者に違和感を与えたり、映像品質の低下を招いたりすることなく、異なるアスペクト比の映像を表示した場合に生ずるブランク領域との境界に位置する部分をはじめとする、高輝度部分境界における映像信号の焼き付きを容易に抑制する映像表示装置及び映像表示方法を提供する。
【図面の簡単な説明】
【００７１】
【図１】本発明の実施例１を説明するブロック図である。
【図２】本発明の実施例１を説明する概略図である。
【図３】本発明の実施例１を説明する概略図である。
【図４】本発明の実施例１を説明するブロック図である。
【図５】本発明の実施例１を説明するフローチャートである。
【符号の説明】
【００７２】
２０…映像表示装置としてのＰＤＰ表示装置
２３…映像信号処理部
２６…フレームメモリ
２７…駆動ドライバ
２９…プラズマディスプレイパネル
２９ｃ…プラズマディスプレイパネルモジュール
３０ａ，３０ｂ…オーバーシュート
３０ｃ，３０ｄ…アンダーシュート
Ｅ１，Ｅ３…ブランク領域
Ｅ２ａ，Ｅ２ｂ…ブランク領域との境界に位置する画像データ  
【図１】
2006171425.tif 000003
【図２】
2006171425.tif 000004
【図３】
2006171425.tif 000005
【図４】
2006171425.tif 000006
【図５】
2006171425.tif 000007